(57)【要約】【課題】作業性を向上させ、１つの押さえ金具で埋込型配線器具用の取付枠を４つ連設することができる押さえ金具を提供する。【解決手段】押さえ金具Ｂは、互いに対向する一対の上枠部１ａ及び下枠部１ｂと、上枠部１ａ及び下枠部１ｂの同じ側の端部を連結する一対の側枠部２ａ，２ｂとで略ロ字型に形成した本体部５を備えている。本体部５は４つの取付枠１０を連設して取付けられる大きさに形成されている。そして上枠部１ａ及び下枠部１ｂの内側端縁には、対向する他方側に向かって突出する取付部４が取付枠１０の取付ピッチでそれぞれ４つずつ配設されており、各取付部４には取付枠１０の長孔１４に対応する部位にねじ孔９が設けられている。さらに各側枠部２ａ，２ｂには対向する他方側に向かって押さえ金具Ｂを造営材Ｃに仮固定するためのアーム片３が上枠部１ａと略平行に突設されており、各アーム片３は先端部が幅広となった帯状に形成されている。【選択図】図１
2007295732.tif 000002
【特許請求の範囲】
【請求項１】
枠状に形成されて造営材に設けられた開口部の裏面側の開口縁に配設される本体部と、前記本体部の対向する一対の側枠部の双方から対向する他方側へ突設され、前記開口部の裏面側から表面側に引き出され且つ折り曲げられて前記開口部の表面側の開口縁に係止されるアーム片とを備え、前記本体部は埋込型配線器具用の取付枠を４つ連設して取付可能な大きさに形成され、前記取付枠を取り付けるための取付部を前記本体部の対向する他の一対の側枠部にそれぞれ４つずつ並設したことを特徴とする押さえ金具。
【請求項２】
前記アーム片を前記各側枠部にそれぞれ２つずつ設けたことを特徴とする請求項１記載の押さえ金具。
【発明の詳細な説明】
【技術分野】
【０００１】
本発明は、埋込型配線器具用の取付枠を造営材に固定するために用いる押さえ金具に関するものである。
【背景技術】
【０００２】
従来より、図７及び図８に示すように、埋込型配線器具Ａ（例えば、コンセント１１等）用の取付枠１０を造営材Ｃ（例えば、石膏ボードのような壁板８）に固定するために用いる押さえ金具Ｂがあった（例えば特許文献１参照）。この押さえ金具Ｂは、互いに対向する一対の上枠部１ａ及び下枠部１ｂと、上枠部１ａ及び下枠部１ｂの同じ側の端部を連結する一対の側枠部２ａ，２ｂとで枠状に形成された略ロ字型の本体部５を備えている。上枠部１ａ及び下枠部１ｂの内側端縁には内方に向けて突出する四角形状の取付部４がそれぞれ突設されており、この取付部４には、例えばＪＩＳ（ＪＩＳ  Ｃ  ８３７５）等で規格化された埋込型配線器具Ａ用の取付枠１０の挿通孔１４に対応する部位にねじ孔９が設けられている。また各側枠部２ａ，２ｂには、対向する他方の側枠部２ｂ，２ａ側に突出し、先端部が幅広となった帯状のアーム片３がそれぞれ１つずつ上枠部１ａに略並行に設けられている。さらにこのアーム片３は本体部５の表面側から見て右側のアーム片３が左側のアーム片３よりも上方に位置している。
【０００３】
この押さえ金具Ｂを壁板８に仮固定するには、まず本体部５を壁板８に設けた開口部１５内に挿入する。次に両アーム片３を本体部５の表面側に折り曲げ、折り曲げたアーム片３が開口部１５の表面側に突出するように本体部５を開口部１５の裏面側の開口端縁に当接させる。そして壁板８の表面側に突出したアーム片３を壁板８に沿って外側に折り曲げ、アーム片３の先端部を開口部１５の表面側の開口縁に係止させると、押さえ金具Ｂが壁板８に仮固定される。さらにねじ１３を取付枠１０の挿通孔１４に挿通し、押さえ金具Ｂのねじ孔９に螺合させると、押さえ金具Ｂと取付枠１０とで壁板８を挟持することになり、取付枠１０が壁板８に固定される（図８参照）。そしてアーム片３が後述する化粧プレート１２から露出しないように、アーム片３を開口部１５側（矢印Ｄの方向）に折り曲げ、その上から化粧プレート１２が被せられる。
【０００４】
図７及び図８は１つの取付枠１０を固定する１連用の押さえ金具Ｂであるが、２つの取付枠１０を連設固定できる２連用の押さえ金具Ｂも提供されている。
【特許文献１】特開平１０−１７４２４６号公報（第３頁−第５頁、及び、第１図−第６図）
【発明の開示】
【発明が解決しようとする課題】
【０００５】
上述の特許文献１に示した押さえ金具Ｂでは、１つの押さえ金具Ｂに対して埋込型配線器具Ａ用の取付枠１０を１つ又は２つしか取付けることができなかった。そのため取付枠１０を４つ連設する場合には、２連用の押さえ金具Ｂを２つ連設したり、壁板８を取付枠１０との間で狭持するためのはさみ金具（図示せず）を各取付枠１０にそれぞれ２つずつ取付けたりしなければならず、作業性が悪かった。さらに押さえ金具Ｂを２つ連設する場合には、本体部５に設けた溝７に沿って折り曲げて片側の側枠部２ｂを切り取る必要があり、その結果押さえ金具Ｂを１つのアーム片３で片持ち状態で壁板８に仮固定しなければならなかった。そのためねじ１３で取付枠１０を取付ける際に、押さえ金具Ｂが壁板８の裏面側に落ち込みやすく、作業がやりにくかった。
【０００６】
本発明は上記問題点に鑑みて為されたものであり、その目的とするところは、作業性を向上させ、１つの押さえ金具で埋込型配線器具用の取付枠を４つ連設することができる押さえ金具を提供することにある。
【課題を解決するための手段】
【０００７】
請求項１の発明は、枠状に形成されて造営材に設けられた開口部の裏面側の開口縁に配設される本体部と、本体部の対向する一対の側枠部の双方から対向する他方側へ突設され、開口部の裏面側から表面側に引き出され且つ折り曲げられて開口部の表面側の開口縁に係止されるアーム片とを備え、本体部は埋込型配線器具用の取付枠を４つ連設して取付可能な大きさに形成され、取付枠を取り付けるための取付部を本体部の対向する他の一対の側枠部にそれぞれ４つずつ並設したことを特徴とする。
【０００８】
請求項２の発明は、アーム片を各側枠部にそれぞれ２つずつ設けたことを特徴とする。
【発明の効果】
【０００９】
請求項１の発明によれば、１つの押さえ金具で埋込型配線器具用の取付枠を４つ連設することができるので、押さえ金具の仮固定を一度の作業で行うことができ、作業性を向上させることができるという効果がある。また造営材の開口部に対して両側枠部のアーム片で固定するので、取付作業中に押さえ金具が開口部の裏面側に落ち込むことがなく、作業がやりやすいという効果がある。
【００１０】
請求項２の発明によれば、請求項１の効果に加え、アーム片を各側枠部にそれぞれ２つずつ設けており、造営材の開口部に対して４つのアーム片で固定するので、押さえ金具を強固に仮固定することができるという効果がある。
【発明を実施するための最良の形態】
【００１１】
以下に本発明の実施の形態を図１〜図６に基づいて説明する。本発明に係る押さえ金具Ｂは埋込型配線器具Ａ（例えばコンセント１１等）用の取付枠１０を造営材Ｃ（例えば石膏ボード等の壁板８）に固定するために用いられる。
【００１２】
まず取付枠１０について説明する。取付枠１０は、例えばＪＩＳ（ＪＩＳ  Ｃ  ８３７５）等で規格化されたものであり、中央にコンセント１１を取付けるための開口部（図示せず）が設けられ、略長方形枠状に形成されている。この取付枠１０の幅方向両端にはコンセント１１を取付けるための器具取付部２０がそれぞれ３組ずつ設けられており、開口部の長手方向両側には後述する押さえ金具Ｂ又は埋込ボックス（図示せず）に固定する際にねじ１３を挿通させる長孔１４が１つずつ設けられている。さらに各長孔１４よりも長手方向両端側には、後述する化粧プレート１２をねじ固定するためのねじ孔１６が１つずつ設けられている。
【００１３】
次に化粧プレート１２について図１に基づいて説明する。化粧プレート１２は矩形板状に形成されたプレート１７と矩形枠状に形成されたプレート枠１８とで構成されており、プレート枠１８には取付枠１０に設けたねじ孔１６に対応する部位にねじ（図示せず）を挿通させる挿通孔（図示せず）が設けられている。またプレート１７には図１に示すように、コンセント１１に対応する部位にコンセント１１の機能面を露出させるための切欠部１９が設けられている。さらにプレート枠１８の四隅には係止孔（図示せず）が設けられており、プレート１７の裏面には係止孔に対応する部位に係止片（図示せず）が突設されている。そして係止片を係止孔に挿通させて、係止孔の端縁に係止させると、プレート１７がプレート枠１８に固定される。
【００１４】
ここで本発明に係る押さえ金具Ｂについて、図４に基づいて説明する。押さえ金具Ｂは矩形枠状に形成された略ロ字型の本体部５を備えており、本体部５の裏面側には略全周に渡って、曲げ強度を向上させるための突条６が設けられている。この本体部５は互いに対向する一対の上枠部１ａ及び下枠部１ｂ（側枠部）と、上枠部１ａ及び下枠部１ｂの同じ側の端部を連結する一対の側枠部２ａ，２ｂとで取付枠１０を４つ連設して取付けられる大きさに形成されている。また上枠部１ａ及び下枠部１ｂの内側端縁には、対向する他方側に突出する四角形状の取付部４が取付枠１０の取付ピッチでそれぞれ４つずつ配設されており、各取付部４には取付枠１０の長孔１４に対応する部位にねじ孔９が設けられている。さらに各側枠部２ａ，２ｂには、対向する他方の側枠部２ｂ,２ａに向かってアーム片３が上枠部１ａと略平行に突設されている。これらのアーム片３は、先端部が幅広となった帯状に形成されており、本体部５の表面側から見て右側のアーム片３が左側のアーム片３よりも上方に位置するように配設されている。さらに上枠部１ａ及び下枠部１ｂと側枠部２ｂとの連結部近傍には、側枠部２ｂの長手方向と略平行に溝７がそれぞれ設けられており、この溝７に沿って側枠部２ｂを折り曲げることで、側枠部２ｂを本体部５から切り離すことができる。そして側枠部２ｂを切り取った２つの押さえ金具Ｂを連設することで、取付枠１０を最大８個まで連設することができる。
【００１５】
次にこの押さえ金具Ｂを用いて埋込型配線器具Ａ用の取付枠１０を壁板８に固定する方法について図１〜図３に基づいて説明する。まず本体部５を壁板８に設けた開口部１５内に挿入させる。次に両アーム片３,３を本体部５の表面側に折り曲げ、折り曲げたアーム片３が開口部１５の表面側に突出するように本体部５を開口部１５の裏面側の開口端縁に当接させる。そして壁板８の表面側に突出したアーム片３を壁板８に沿って外側に折り曲げ、アーム片３の先端部を開口部１５の表面側の開口縁に係止させると、押さえ金具Ｂが壁板８に仮固定される。さらにコンセント１１を取付枠１０に取付けた後、取付枠１０の挿通孔１４にねじ１３を挿通させ、押さえ金具Ｂのねじ孔９に螺合させると、図２に示すように押さえ金具Ｂと取付枠１０とで壁板８を挟持することになり、取付枠１０が壁板８に固定される。そしてアーム片３が化粧プレート１２から露出しないように、アーム片３を開口部１５側（矢印Ｄの方向）に折り曲げ、その前面側から化粧プレート１２のプレート枠１８を被せ、ねじでプレート枠１８を取付枠１０に固定する。さらにその前面側からプレート枠１８の係止孔にプレート１７の係止片を挿通させて、係止孔の端縁に係止させると、プレート１７がプレート枠１８に固定され、図３に示すように切欠部１９からコンセント１１の機能面が露出した状態に施工される。
【００１６】
上述の押さえ金具Ｂでは１つの押さえ金具Ｂで埋込型配線器具Ａ用の取付枠１０を４つ連設することができるので、押さえ金具Ｂの仮固定を一度の作業で行うことができ、作業性を向上させることができる。また造営材Ｃの開口部１５に対して両側枠部２ａ，２ｂのアーム片３，３で固定するので、取付作業中に押さえ金具Ｂが開口部１５の裏面側に落ち込むことがなく、作業がやりやすい。
【００１７】
ところで、上述の押さえ金具Ｂは各側枠部２ａ，２ｂにそれぞれ１つずつアーム片３を設けているが、図５に示すように各側枠部２ａ，２ｂにそれぞれ２つずつアーム片３を設けてもよく、アーム片３を各側枠部２ａ，２ｂにそれぞれ２つずつ設けた点以外の構成は上述の押さえ金具Ｂと同様である。この押さえ金具Ｂは図５に示すように上下方向で側枠部２ａ,２ｂの略同じ位置にアーム片３を形成してあり、図６に示すように押さえ金具Ｂを壁板８の開口部１５に対してがたつきなく取付けることができる。また壁板８の開口部１５に対して押さえ金具Ｂを４つのアーム片３で固定するので、押さえ金具Ｂを壁板８に強固に仮固定することができる。
【００１８】
尚、本実施形態では、埋込型配線器具Ａとしてコンセント１１を例に説明したが、埋込型配線器具Ａはコンセント１１に限定されるものではなく、スイッチ等取付枠１０に取付可能な埋込型配線器具Ａであればよい。
【図面の簡単な説明】
【００１９】
【図１】本実施形態の押さえ金具を用いて埋込型配線器具用の取付枠を造営材に取付ける方法を説明する説明図である。
【図２】同上の押さえ金具を用いた施工状態を示し、化粧プレートを外した状態の斜視図である。
【図３】同上の押さえ金具を用いた施工状態を示し、化粧プレートを取付けた状態の平面図である。
【図４】同上の押さえ金具の正面図である。
【図５】同上の他の押さえ金具の正面図である。
【図６】同上の他の押さえ金具を用いた施工状態を示し、化粧プレートを外した状態の斜視図である。
【図７】従来の押さえ金具を用いて埋込型配線器具用の取付枠を造営材に取付ける方法を説明する説明図である。
【図８】従来の押さえ金具を用いた施工状態を示し、化粧プレートを外した状態の斜視図である。
【符号の説明】
【００２０】
１ａ        上枠部（他の一対の側枠部）
１ｂ        下枠部（他の一対の側枠部）
２ａ，２ｂ  側枠部（一対の側枠部）
３          アーム片
４          取付部
５          本体部
１０        取付枠
Ｂ          押さえ金具
Ｃ          造営材
【図１】
2007295732.tif 000003
【図２】
2007295732.tif 000004
【図３】
2007295732.tif 000005
【図４】
2007295732.tif 000006
【図５】
2007295732.tif 000007
【図６】
2007295732.tif 000008
【図７】
2007295732.tif 000009
【図８】
2007295732.tif 000010